(57)【要約】【課題】  この発明の目的は電気機器の取り付けが簡単にできる電気機器取り付け部材を提供することである。【解決手段】  一対の脚片１１，１２の対向面にはめ込み溝１４，１５を設け、このはめ込み溝１４，１５に支持板１３の端部をはめ込んで、支持板１３を一対の脚片１１，１２間に掛け渡している。そして、このようにした脚片１１，１２には、誤操作防止用カバー２８，２９を設け、支持板１３に設けたトグルスイッチなどの電気機器の誤操作を防止する構成にしている。【選択図】  図１
2005218258.tif 000002
【特許請求の範囲】
【請求項１】
一対の脚片の対向面にはめ込み溝を設け、このはめ込み溝に支持板の端部をはめ込んで、支持板を一対の脚片間に掛け渡してなる電気機器取り付け部材。
【請求項２】
上記はめ込み溝は、脚片の幅方向全長にわたって連続させてなる請求項１記載の電気機器取り付け部材。
【請求項３】
上記支持板には、脚片に組み付けた状態で脚片の幅方向に直交する長さ方向全長にわたってタップネジ溝を形成するとともに、脚片には支持板を組み付けた状態で上記タップネジ溝に対応する位置にネジ通し孔を形成した請求項１または２に記載の電気機器取り付け部材。
【発明の詳細な説明】
【技術分野】
【０００１】
この発明は、配電盤、制御盤あるいは操作盤などにスイッチなどの電気機器を取り付けるときのベース部材として最適な電気機器取り付け部材に関する。
【背景技術】
【０００２】
従来から図５に示す取り付け部材が知られている。この従来から知られている取り付け部材の部材本体１は、一対の脚部２，３と、これら一対の脚部間に設けた支持部４と、上記脚部２，３の下端に設けた取り付け部５、６とからなるもので、それらを板金加工等により一体的に形成していた。
【０００３】
上記のようにした電気機器取り付け部材は、例えば、その支持部４にトグルスイッチ７を取り付ける。このトグルスイッチ７は、その棒状のつまみ７ａを支持部４の上方に突出させ、つまみ７ａの下端に設けたスイッチケース７ｂを支持部４の下方に位置させるようにして取り付ける。そして、上記スイッチケース７ｂに突出させた端子７ｃに必要な電線を接続して、その取り付け部５，６を、図示していない配電盤、制御盤あるいは操作盤などに固定するものである。
【特許文献１】特開２００３−６０３６１号公報
【発明の開示】
【発明が解決しようとする課題】
【０００４】
上記のようにした従来の電気機器取り付け部材では、部材本体１を板金加工等で一体的に形成していたので、その形成過程で、大きさ等の寸法が固定的に決められてしまう。そのために、ユーザー側の要求によっては、寸法を異にした多種類の取り付け部材を作らなければならず、その製造コストが大幅にかさむという問題があった。
また、ユーザー側において寸法違いがあった場合に、例えば、それを流通業者からメーカーにまで戻さなければ、その寸法違いに対応できなかった。
【０００５】
ところが、この種の電気機器取り付け部材は、配電盤、制御盤あるいは操作盤などに用いられるので、ほとんどの場合、一番後にその使い勝手が問題にされるという特徴がある。そして、最後の使い勝手が、当該部材の大きさなどの寸法にかかわる場合であって、しかも、それらの寸法が不的確と判定されたときには、適正な寸法の取り付け部材をメーカーに再発注しなければならなかった。
【０００６】
また、例えば、当該部材本体１にトグルスイッチ７などの電気機器を取り付ける場合には、トグルスイッチ７などの電気機器を部材本体１に取り付けた後に、その端子７ｃに電線を接続する。このとき、複数あるトグルスイッチ７のうち、支持部４の中央にあるトグルスイッチ７に関しては、それほど問題にならないが、脚部２，３と支持部４とで形成されるコーナー部分においては、そのスペースが十分に確保できないために、トグルスイッチ７などの電気機器を取り付ける作業が困難を極めるだけでなく、端子７ｃに電線を接続する作業は大変にやりにくいものになっていた。
この発明の目的は、電気機器を取り付けたり電線を接続したりするための作業性がよく、しかも、製造コストも非常に低い電気機器取り付け部材を提供することである。
【課題を解決するための手段】
【０００７】
第１の発明は、一対の脚片の対向面にはめ込み溝を設け、このはめ込み溝に支持板の端部をはめ込んで、支持板を一対の脚片間に掛け渡した点に特徴を有する。
なお、上記一対の脚片は、それぞれが同一形状である必要はない。ただし、一対の脚片を同一形状にすれば、例えば、押し出し成形で長尺の脚片を形成し、それらを必要な長さで、カットするだけでよいという利点がある。
第２の発明は、上記はめ込み溝は、脚片の幅方向全長にわたって連続させた点に特徴を有する。
【０００８】
第３の発明は、上記支持板には、脚片に組み付けた状態で脚片の幅方向に直交する長さ方向全長にわたってタップネジ溝を形成するとともに、脚片には支持板を組み付けた状態で上記タップネジ溝に対応する位置にネジ通し孔を形成した点に特徴を有する。
【発明の効果】
【０００９】
第１の発明によれば、脚片と支持板とを別部材で構成するとともに、脚片に設けたはめ込み溝に支持板をはめ込むようにしたので、例えば、脚片や支持板を金属ノコ等でカットすれば、当該部材の寸法を自由に調整できる。したがって、最終的に寸法が合わないときにも、それを再発注するといったことをせず、現場で迅速に対応することもできる。しかも、支持板をカットした場合にも、組み付け時にそのカット面がはめ込み溝で隠されるので、カット面からバリなどを取り除くための表面処理等が不要になる。したがって、支持板をカットするのに、金属ノコなどの特別な工具を必要としない。
また、脚片を組み付ける前の支持板に、例えばトグルスイッチ等の電気機器を取り付ける作業も簡単にできる。さらに、当該電気機器に電線等の接続作業や配線作業をしてから、その支持板に脚片を組み付けることができるので、電線などの接続作業や配線作業が簡単になる。
【００１０】
第２の発明によれば、はめ込み溝を脚片の幅方向全長にわたって連続させたので、この脚片を押し出し成形などによって連続的に製造することができる。しかも、必要な長さに応じてその連続体をカットすればよいので、必要な寸法に応じて脚片を個別に製造する必要がなく、その分、再発注などトータルな面でコストを大幅に低減できる。
【００１１】
第３の発明によれば、上記支持板には、脚片に組み付けた状態で脚片の幅方向に直交する長さ方向全長にわたってタップネジ溝を形成したので、この支持板も押し出し成形で連続的に製造することができるとともに、必要な長さに応じてその連続体をカットできる。したがって、脚片と同様に、トータルなコストを大幅に低減できる。しかも、脚片には支持板を組み付けた状態で上記タップネジ溝に対応する位置にネジ通し孔を形成したので、このタップネジを回してそれをタップネジ溝に押し込むことによって、脚片と支持板とをしっかりと固定できる。
【発明を実施するための最良の形態】
【００１２】
図１〜図４に示したこの発明の実施形態は、一対の脚片１１，１２とこの脚片１１，１２間に掛け渡す支持板１３とを主要素にしてなる。
上記脚片１１，１２は、アルミ材を押し出し成形したもので、その上端部分には、脚片１１，１２の幅方向全長にわたってはめ込み溝１４，１５を形成している。このはめ込み溝１４，１５の断面形状は、図３からも明らかなように、表面を円弧状にした上側突片１４ａ，１５ａと、この上側突片１４ａ，１５ａと所定の間隔を維持した下側突片１４ｂ，１５ｂとからなるもので、これら突片１４ａ，１５ａおよび１４ｂ，１５ｂは、その断面形状を長手方向に連続して保つようにしている。
【００１３】
また、上記はめ込み溝１４，１５の下方には、タップネジ溝１６，１７を形成している。このタップネジ溝１６，１７の断面形状は、図３に示すように、上側円弧突片１６ａ，１７ａと、下側円弧突片１６ｂ，１７ｂとからなり、これら上側円弧突片１６ａ，１７ａの先端と、下側円弧突片１６ｂ，１７ｂの先端との間に間隔１６ｃ，１７ｃを確保している。このようにしたタップネジ溝１６，１７内には凹部１６ｄ，１７ｄを形成し、タップネジを挿入したとき、摩擦抵抗が少なくなるようにしている。
【００１４】
さらに、脚片１１，１２の下端には、脚片１１，１２と直角にした取り付け片１８，１９を形成している。そして、この取り付け片１８，１９には、図１に示すように、ボルト通し孔２０，２１を形成している。
【００１５】
いずれにしても、上記脚片１１，１２は、図３に示す断面形状を、その幅方向全長にわたって連続させている。このように断面形状を脚片１１，１２の幅方向全長にわたって連続させているので、当該脚片１１，１２をアルミ製にして押し出し成形で連続的に製造することができる。また、アルミ製なので、それをカットするのも簡単になり、いつでも必要な長さにカットすることができる。
【００１６】
なお、上記した脚片１１，１２は、それらの使用状態においては、はめ込み溝１４，１５を形成した側を対向させるので、個々の脚片１１，１２は同一形状のものを使用することができる。言い換えると、上記のように押し出し成形した長尺な脚片をカットするだけで、一対の脚片１１，１２を形成することができる。
【００１７】
一方、上記脚片１１，１２間に掛け渡す支持板１３は、図３および図４に示すように、その支持板１３の両側に、タップネジ溝２２，２３を形成している。このタップネジ溝２２，２３は、下側突部２２ａ，２３ａと上側突部２２ｂ，２３ｂとで囲むようにしてなるとともに、これら下側突部２２ａ，２３ａの先端と、上側突部２２ｂ，２３ｂの先端との間に間隔２２ｃ，２３ｃを確保している。そして、これらタップネジ溝２２，２３は、前記したタップネジ溝１６，１７と同様に凹部２２ｄ，２３ｄを形成し、タップネジを挿入したとき、摩擦抵抗が少なくなるようにしている。
また、上記脚片１１，１２には、図３に示すように、ネジ通し孔２４，２５を形成し、このネジ通し孔２４，２５に通したタップネジ２６を、上記タップネジ溝２２，２３に挿入するようにしている。
【００１８】
上記のようにした支持板１３は、図４に示す断面形状を、その長さ方向全長にわたって連続させている。このように断面形状を支持板１３の長さ方向全長にわたって連続させているので、当該支持板１３をアルミ製にして押し出し成形で連続的に製造することができる。また、アルミ製なので、それをカットするのも簡単になり、いつでも必要な長さにカットすることができる。
上記のようにした支持板１３には、電気機器、例えば、トグルスイッチ７を取り付けるための機器取り付け孔２７を、上記連続押し出し成形後に複数形成しておく。
【００１９】
上記のようにした電気機器取り付け部材を実際に使用するときには、次のようにする。先ず、支持板１３を脚片１１，１２に組み付ける前に、その支持板１３の機器取り付け孔２７にトグルスイッチ７を挿入して、トグルスイッチ７のつまみ７ａを支持板１３の上方に突出させる。そして、このトグルスイッチ７の上側ナット７ｄと下側ナット７ｅとで支持板１３を挟むようにして、当該トグルスイッチ７を支持板１３にしっかり固定する。さらに、この状態で、当該トグルスイッチ７の端子７ｃに必要な電線をあらかじめ接続したり、配線したりしておく。
なお、図４における符号ａは、当該スイッチの機能やスイッチング対象機器を表示するための銘板で、上記上側ナット７ｄと支持板１３との間に挟持されている。
【００２０】
上記のようにトグルスイッチ７を取り付け、かつ、当該スイッチに電線を接続した支持板１３を、この段階で脚片１１，１２に組み付ける。すなわち、脚片１１，１２のタップネジ溝１６，１７と支持板１３のタップネジ溝２２，２３とが上下方向において直交する相対関係を維持して、支持板１３の両端を、脚片１１，１２のはめ込み溝１４，１５にはめ込む。このように支持板１３の両端をはめ込み溝１４，１５にはめ込むことによって、支持板１３を脚片１１，１２の間に掛け渡すことになる。
【００２１】
支持板１３を脚片１１，１２に、上記のようにして組み付けたら、そのタップネジ溝２２，２３とネジ通し孔２４，２５とを一致させるとともに、そこにタップネジ２６を挿入して、支持板１３に脚片１１，１２を組み付け固定する。
上記のようにこの実施形態によれば、支持板１３と脚片１１，１２とをバラバラにした状態で、トグルスイッチ７を支持板１３に取り付けるとともに、そのトグルスイッチ７の端子７ｃに電線を接続できるので、例えば、脚片１１，１２が、電線接続作業のじゃまになるようなことがいっさいない。このことは、大変に重要なことで、従来の一体型の取り付け部材では、前記したように支持部４と脚部２，３とで構成されるコーナー部分では、手が入りにくくその作業が非常にやりにくいものであったが、この実施形態ではそのような問題がいっさいなくなることになる。
【００２２】
上記のようにトグルスイッチ７を取り付けた当該電気機器取り付け部材は、その取り付け片１８，１９を配電盤、制御盤あるいは操作盤などの取り付け面に接触させ、そのボルト通し孔２０，２１にボルトを通して止める。
また、当該電気機器取り付け部材を、例えば配電盤、制御盤あるいは操作盤などに取り付けた後に、上記端子７ｃに接続した電線を再調整したいときには、両脚片１１，１２を配電盤、制御盤あるいは操作盤などから外して、支持板１３を両脚片１１，１２間から引き抜く。そして、配線の調整が終わってから、支持板１３を両脚片１１，１２間に差し込めば、再調整作業を簡単に進めることができる。また、当然のことであるが、トグルスイッチなどの交換も簡単になる。
【００２３】
さらに、脚片１１，１２および支持板１３は、それぞれの溝形成方向に連続した形状にしたので、脚片および支持板１３を押し出し成形によって連続的に製造することができる。したがって、その製造コストを大幅に低減できる。さらに、その連続した長尺状態の脚片１１，１２および支持板１３を必要な長さにカットできるので、メーカー側の製造コスト低減に役立つことはもちろん、ユーザーや流通においても、カットする道具さえあれば、必要な長さを自由に調整できることになる。このようにそれらの必要な長さを自由に調整できるので、実際の使用現場における寸法調整も可能になる。このようにどこでも、カットする道具さえあれば、長さの調整が可能ということは、再発注などが不要になり、全体としてのコストを低減することができる。しかも、支持板１３をカットした場合にも、カット面がはめ込み溝１４，１５で隠されるので、カット面からバリなどを取り除くための表面処理等が不要になる。したがって、支持板１３をカットするのに、金属ノコなどの特別な工具を必要としない。
【００２４】
なお、図中符号２８，２９は、透明樹脂からなる誤操作防止用カバーで、トグルスイッチ７などの電気機器の誤操作を防止するためのもので、図２に示すように、脚片１１，１２の両サイドに固定して使用する。すなわち、この誤操作防止用カバー２８，２９は、前記脚片１１，１２に形成したタップネジ溝１６，１７に挿入したタップネジ３０で止めるものである。そして、タップネジ３０で止めた誤操作防止用カバー２８，２９の高さは、トグルスイッチ７のつまみ７ａの先端よりも多少高くするか、あるいは同一高さにするようにしている。このようにすることによって、人の手が横滑りでトグルスイッチ７のつまみ７ａに触れて、当該スイッチを不用意に切り換えてしまうのを防止できる。また、場合によっては、手以外の身体の部分がトグルスイッチに不用意に触れて、そのトグルスイッチを切り換えてしまうことがあるが、このような問題の発生も防止できる。
さらに、この誤操作防止用カバー２８，２９は、上記したように透明な樹脂で構成したので、トグルスイッチ７などの電気機器の見通しがよくなる。つまり、誤操作防止用カバー２８，２９を設けたにもかかわらず見通しがよいので、見通しの悪さから誤操作されることもなくなる。
【００２５】
また、メーカーの出荷段階では、脚片および支持板を長尺ものとしてユーザーに納品し、それをユーザーがそれらを自由にカットして使用することも可能になる。この場合には、上記機器取り付け孔２７を、ユーザー側で形成してもよい。
いずれにしても、メーカーは長い脚片および支持板を所定の長さ分だけ連続成形するだけで足りるので、その製造コストが大幅に低減される。また、ユーザー側においても、自らの必要性に基づいて、それらの寸法を自由に調整できることになり、その利便性は計り知れないことになる。
なお、脚片１１，１２および支持板１３をアルミ製にするとともに、それにアルマイト処理を施せば、その表面に特別な塗装をしなくてもよい。
【産業上の利用可能性】
【００２６】
この発明は、例えば、配電盤、制御盤あるいは操作盤などに固定するトグルスイッチなどの電気機器の取り付け部材として最適である。
【図面の簡単な説明】
【００２７】
【図１】実施形態の斜視図である。
【図２】実施形態の側面図である。
【図３】実施形態の断面図である。
【図４】トグルスイッチを取り付けた状態の支持板の断面図である。
【図５】従来の電気機器取り付け部材を示す側面図である。
【符号の説明】
【００２８】
１１，１２          脚片
１３                支持板
１４，１５          はめ込み溝
２２，２３          タップネジ溝
２４，２５          ネジ通し孔
【図１】
2005218258.tif 000003
【図２】
2005218258.tif 000004
【図３】
2005218258.tif 000005
【図４】
2005218258.tif 000006
【図５】
2005218258.tif 000007